(57)【要約】【課題】ＰＤＡの外部インターフェースに装着できる新規な文字多重放送受信カードを提供する。【解決手段】ＰＤＡ等の外部バス２４に接続可能なカード筐体に、インターフェースコントローラ２０と、音声情報と文字情報とを同時に受信することができる文字多重放送受信モジュール２１と、低周波増幅回路２２とを備えた文字多重放送受信カードであって、前記文字多重放送受信モジュール２１で受信された音声情報は、前記低周波増幅回路２２により音声信号として出力される一方、前記文字多重放送受信モジュール２１で受信された文字データは、前記インターフェースコントローラ２０に伝送されここで前記外部バス２４に対応するプロトコル変換が行われた後、前記外部バス２４を介して前記ＰＤＡに伝送される構成とする。【選択図】図２
2005117181.tif 000002
【特許請求の範囲】
【請求項１】
ＰＤＡ等の外部バス（２４）と接続可能なカード筐体に、インターフェースコントローラ（２０）と、音声情報と文字情報とを同時に受信することができる文字多重放送受信モジュール（２１）と、低周波増幅回路（２２）とを備えた文字多重放送受信カードであって、
前記文字多重放送受信モジュール（２１）で受信された音声情報は、前記低周波増幅回路（２２）により音声信号として出力される一方、
前記文字多重放送受信モジュール（２１）で受信された文字データは、前記インターフェースコントローラ（２０）に伝送されここで前記外部バス（２４）に対応するプロトコル変換が行われた後、前記外部バス（２４）を介して前記ＰＤＡに伝送されることを特徴とする文字多重放送受信カード。
【請求項２】
前記受信カードにおけるインターフェースコントローラ（２０）は、プロトコルエンジン（３１）と、外部インターフェース（３３ａ乃至３３ｃ）と、マイクロコントローラユニット（３６）及びその入出力ポート（３８）とを備えていることを特徴とする請求項１記載の文字多重放送受信カード。
【発明の詳細な説明】
【技術分野】
【０００１】
本発明は、ラジオ等の電波受信機能を備えていない携帯情報端末に、その受信機能を付与することができる周辺機器に関し、より詳しくは、ポケット型コンピュータ等に接続する文字多重放送受信カードに関する。
【背景技術】
【０００２】
国際規格に準拠した外部インターフェースを搭載する携帯型情報端末（以下、本明細書において、『ＰＤＡ』ということもある。）が急速に普及している。携帯情報端末には種々のものが存在するが、共通の外部インターフェースを搭載していれば、異種の機器同士であっても共通のプロトコルを使用してデータのやりとりをすることができる。
【０００３】
近年では機器の機能の融合化が盛んに行われ、種々の携帯情報端末を複合化することにより、機器全体の容量を軽減した多機能携帯情報端末装置に関する技術が提案されている（例えば特許文献１参照。）。
【０００４】
しかし、上述した特許文献１には、ラジオ受信機等のオプション機器をインターフェースを介して装置本体（携帯情報端末）に接続することは説明されているが（２０段落参照）、その内部構成については具体的に説明されていない。
【０００５】
ところで、近年は音楽や音声の信号に、文字情報を多重化して送信する文字多重放送（いわゆる『見えるラジオ』）が知られている。文字多重放送の受信機自体はカーナビゲーションシステムやテレビなどの他、携帯型の文字多重放送受信機も実現されているが、ＰＤＡを利用した文字多重放送受信機は知られていない。
【特許文献１】特開平１１−２１５２１７号公報
【発明の開示】
【発明が解決しようとする課題】
【０００６】
しかし、従来のカード型ラジオ受信機をＰＤＡの外部インターフェースに接続する構成とした場合、結局は独立した複数の機器をインターフェースを介して単に接続したに過ぎず、これでは何ら付加価値を与えることにはならない。
【０００７】
本件の発明者たちは、ＰＤＡの外部インターフェースが近年急速に高機能化し、従来よりも高レートでのデータ伝送が可能になってきた点に着目し、音声情報の他に、文字情報など他のデータを表示させることを可能にする、従来の携帯型のラジオ受信機よりもさらに付加価値の高い、高機能な文字多重放送受信機能を実現できないものかと考えた。
【０００８】
本発明は、上記に鑑みてなされたものであり、ＰＤＡの外部インターフェースに装着できる新規な文字多重放送受信カードを提供することを目的とする。
【課題を解決するための手段】
【０００９】
本発明に係る文字多重放送受信カードは、ＰＤＡの外部バス２４と接続可能なカード筐体に、インターフェースコントローラ２０と、音声情報と文字情報とを同時に受信することができる文字多重放送受信モジュール２１と、低周波増幅回路２２とを備えた文字多重放送受信カード１２であって、
前記文字多重放送受信モジュール２１で受信された音声情報は、前記低周波増幅回路２２により音声信号として出力される一方、
前記文字多重放送受信モジュール２１で受信された文字データは、前記インターフェースコントローラ２０に伝送されここで前記外部バス２４に対応するプロトコル変換が行われた後、前記外部バス２４を介して前記ＰＤＡ１０に伝送されることを特徴とする。
【００１０】
このような構成によると、受信カード本体で音声信号を受信しつつ、ＰＤＡで文字多重放送の文字情報を表示することができる。
【００１１】
前記受信カードにおけるインターフェースコントローラ２０は、プロトコルエンジン３１と、外部インターフェース３３ａ乃至３３ｃと、マイクロコントローラユニット３６及びその入出力ポート３８とを備えていることが好ましい。
【００１２】
このようにマイクロコントローラユニットを搭載していると、文字多重放送の受信システムに関する電源スイッチ・選局（チューニング）・音量調節などの制御信号をＰＤＡ側に持たせることができる。
【発明の効果】
【００１３】
本発明に係る文字多重放送カードを用いると、文字多重放送の受信機能を有していない携帯情報端末を文字多重放送受信機として用いることができる。
【発明を実施するための最良の形態】
【００１４】
外部インターフェースには種々のものが知られているが、その一例として、ＳＤＩＯ（Ｓｅｃｕｒｅ  Ｄｉｇｉｔａｌ  Ｉｎｐｕｔ  Ｏｕｔｐｕｔ）規格に準拠したカード型周辺装置を例にとり、以下本発明の実施例について図１乃至図３を参照して説明する。
【実施例】
【００１５】
（全体システム図）
図１は、本発明に係る文字多重放送受信カードを用いた文字多重放送受信システムの全体構成図について示している。ホスト機器１０は、ＳＤＩＯインターフェースを搭載した携帯情報端末であればその種類は問わないが、本発明の場合、文字多重放送の表示をホスト機器側で行うシステムを想定している。このため、少なくともホスト機器側には文字情報の表示部１１を備えている必要がある。表示部１１には、文字情報、例えば放送局名や曲名、アーティスト名などが表示される。
【００１６】
ホスト機器１０は、内部にＳＤＩＯホスト（不図示）が搭載され、外部バス（ＳＤバス）を経由してＳＤＩＯカードアプリケーションと接続してデータ等のやりとりを行うことができる。
【００１７】
本受信システムは、このホスト機器１０のＳＤＩＯカードスロットに、本発明に係る文字多重放送受信カード１２を装着して使用する。このＳＤＩＯカード１２には、ＳＤＩＯコントローラ及び文字多重放送受信モジュールなどが含まれており、さらに、音声信号を出力するための音声出力端子１２ａが設けられており、この音声出力端子１２ａにヘッドホーンやイヤホーン等１３を接続して音声を出力する。
【００１８】
（文字多重放送受信カードの内部構成）
図２は、本発明に係る音声多重放送受信カードの内部構成について説明するための回路図を示している。また、図３は、図２におけるＳＤＩＯコントローラ２０内部の機能ブロック図である。
【００１９】
図２に示すように、カードの筐体の内部には、ＳＤＩＯコントローラ２０と文字多重放送受信モジュール２１とオペアンプなどにより構成された低周波増幅回路２２とが設けられている。また、本実施例では、更に、ＥＥＰＲＯＭ等のメモリデバイス２３が接続されており、音声情報や文字情報を記録したり、本受信システムを動作させるためのアプリケーションプログラムを記録したり、その他種々のデータ等を記録することができる。
【００２０】
ＳＤＩＯコントローラ２０は、ＳＤＩＯ規格に準拠するＳＤＩＯホストと複数のアプリケーションとを外部バス（ＳＤバス）２４を経由して接続する１チップの半導体デバイスであって、ＳＤＩＯホストから送られるコマンドを解読し必要な応答をＳＤＩＯホストに送るＳＤインターフェース部（プロトコルエンジン）と、アプリケーションインターフェース部と、前記ＳＤインターフェース部と前記アプリケーションインターフェース部間に一時記憶メモリ（Ｒ／Ｗ ＦＩＦＯ）メモリとを含んでいる。すなわち、ＳＤＩＯコントローラ２０は、ホスト機器とアプリケーション機器との間のデータ通信を行うＳＤＩＯ規格に準拠したインターフェースコントローラの一種である。
【００２１】
図３に示すように、この実施例で示すＳＤＩＯコントローラ２０には、ＳＤＩＯホストから送られるコマンドを解読し必要な応答をＳＤＩＯホストに送るＳＤプロトコルエンジン（ＨＩＭ：ホストインターフェースモジュール）３１と、一時記憶メモリ（Ｒ／Ｗ ＦＩＦＯ）３２と、複数のアプリケーションインターフェース３３ａ、３３ｂ、３３ｃとを含んでいる。なお、機能ブロックとしては離れて描かれているが制御レジスタ（ＳＤＩＯＲＥＧ）３４はＨＩＭに含まれる。制御レジスタ３４はＳＤＩＯホストがＳＤデバイスを制御するために必要な構成である。
【００２２】
このＳＤＩＯコントローラ２０は、アプリケーションインターフェースとして、ＨＳ−ＵＡＲＴ（ハイスピードにも対応できるＵＡＲＴ）３３ａとＰＣＭＣＩＡ３３ｂとＥＥＰＲＯＭ等のフラッシュメモリを接続できるメモリインターフェース３３ｃを備えている。
これ以外のアプリケーションインターフェース、例えば、ＰＣカードバスその他のインターフェースに対応したものなどを搭載していてもよい。
【００２３】
このＳＤＩＯコントローラ２０は、更に、ＦＩＦＯコントローラ（ＤＭＡ）３５、マイクロコントローラユニット（ＭＣＵ）３６とＩ−ＲＡＭ３７ａ・Ｄ−ＲＡＭ３７ｂ、及びＧＰＩＯ３８を含んでいる。ＭＣＵは複雑なデータ制御を可能にし、汎用の入出力ポート（ＧＰＩＯ）を通して外部モジュールとシリアル接続することができる。なお、ＤＭＡ３５は図１では１つしか表わされていないが、実際には３つある。各ＤＭＡは各アプリケーションインターフェースに対応するＤＭＡから送られるデータを一時記憶するＲＦＩＦＯ３２ａ、３２ｂ、３２ｃ及びＳＤＩＯホストからＨＩＭを介して送られるデータを一時記憶するＷＦＩＦＯ３２ｄに接続されている。
【００２４】
このように、インターフェースコントローラがアプリケーションインターフェースや汎用入出力ポート（ＧＰＩＯ）を持っていると、汎用の文字多重放送受信モジュールを、そのモジュールの入出力インターフェースに接続することができる。例えば、文字多重放送受信モジュール２１の入出力ポートがシリアル通信インターフェースを持つものであれば、上記インターフェースコントローラ２０のＧＰＩＯポートやＩ２Ｃシリアルポート等に接続すればよい。
【００２５】
あるいは、データレート（データ量）の多い文字多重放送を受信する場合、シリアル接続ではなく、多ビットのパラレル接続できる文字多重放送受信モジュールを接続することもできる。これらはインターフェースコントローラ側のアプリケーションインターフェースの形式と文字多重放送受信モジュールの入出力ポートのインターフェースの形式とが一致していればよい。
【００２６】
図２に示す回路例では、使用した文字多重放送受信モジュールがシリアル入出力ポートを持つものであったため、ＧＰＩＯの一部を文字データの通信用に利用している。また、オペアンプの制御もＧＰＩＯの他のポートを利用して構成している。
【００２７】
ＳＤバスは、ＶＤＤ、ＶＳＳ（１）、ＶＳＳ（２）、ＳＣＬＫ、ＳＣＭＤ、ＳＤＡＴ０、ＳＤＡＴ１、ＳＤＡＴ２、ＳＤＡＴ３からなる。ＶＤＤ、ＶＳＳ（１）、ＶＳＳ（２）は電源供給ライン、ＳＣＬＫはＳＤクロック、ＳＣＭＤはコマンドライン、ＳＤＡＴ０〜ＳＤＡＴ３はデータラインである。
【００２８】
データ転送には、４つのデータライン（ＳＤＡＴ０〜ＳＤＡＴ３）のうちの１つのデータラインのみを用いたデータ転送モード（１ビットモード）と、全てのデータラインを用いたデータ転送モード（４ビットモード）と、ＳＰＩモードとよばれる特殊モードとがある。文字多重放送のビットレートにより、どのモードを採用するかについては、当業者が適宜選択しうる設計的事項である。
ビットレートが遅い場合や音声信号のみをＳＤバスに伝送するときは、ＳＰＩモードなどでホスト機器と通信すれば十分であるが、高ビットレートで受信する必要がある場合は、４ビットモードで通信することが必要となる。
【００２９】
（本システムの動作）
一般に、文字多重放送の受信機は、電源スイッチ・選局（チューニング）・音量調節及び、文字多重放送の受信部（表示部）が最低限必要である。本受信システムでは、ホスト機器側のＰＤＡに、表示部・キーボード等の入出力装置・メモリ・ＣＰＵその他アプリケーション側の機器を操作するために必要な機能がすべて備えられている。
マイクロコントローラユニット３６はロジックＩＣの一種であり、ＧＰＩＯ、ＳＤＩＯＲＥＧ（ＦＮ０）、ＤＭＡを制御したり、メモリインターフェースに接続されたメモリデバイスの制御を行うことができるほか、文字多重放送受信モジュール２１を制御して文字多重放送の受信システムに関する電源スイッチ・選局（チューニング）・音量調節などの制御を行い、ＳＤバスを介してホスト機器と通信することができる。
【００３０】
このため、音声の出力はＳＤＩＯカード側に設けられた音声出力端子からイヤホーンなどで出力する一方、電源・音量調節・選局（チューニング）・文字情報の表示などの操作は全てホスト機器側のＰＤＡで行うことができる。また、ＭＣＵを持っていると、アクセサリー機能として、受信したディジタルデータをメモリデバイス等に記憶するといった付加的な機能を設けることもできる。
【００３１】
なお、ＰＤＡのラジオ受信機制御のためのプログラムについては、ホスト機器側のオペレーティングシステム上で走るアプリケーションプログラムとして別途インストールしたり、或いはＳＤＩＯホストのファームウエア（内部プログラム）をアップデートしたりすることで対応することができる。
【００３２】
更に、付加的な機能として、ＰＤＡの表示部の表示態様（スキン）、すなわち、コントロール画面上の各種ボタンの形状・配置・色、その他配色及び背景画像等を、使用者の好みに応じて種々変更することもできるであろう。なお、スキンの変更自体については、ソフトウエアに関する一般的な技術を適用することができるため、ここでは説明を省略する。
【００３３】
また、付加的な機能の他の例として、メモリ機能を搭載している場合、ホスト機器側の操作によって、受信音声や受信文字情報をメモリ部に記録することもできる。
【００３４】
また、ホスト機器であるＰＤＡ側に音声出力端子がある場合もありうるが、敢えて文字多重放送受信カード側に設けたのは、ホスト機器の機種依存性が大きくなるためである。このような構成とすると、少なくともＳＤＩＯカードスロットと表示部及び制御部を備えているホスト機器に接続すれば動作し、ホスト機器側に音声信号出力端子ある必要はない。もちろん、機種依存性を犠牲にしても、利便性等を優先し音声出力端子をＰＤＡ側に持たせることも可能である。
【産業上の利用可能性】
【００３５】
本発明に係る文字多重放送受信カードは、ＰＤＡの利用価値を一層高め、付加価値の高い周辺機器の一つとして利用できる。
【図面の簡単な説明】
【００３６】
【図１】図１は、本発明に係る文字多重放送受信カードを用いた文字多重放送受信システムの全体構成図を示している。
【図２】図２は、本発明に係る音声多重放送受信カードの内部構成について説明するための回路図である。
【図３】図３は、ＳＤＩＯコントローラ内部の機能ブロック図を示している。
【符号の説明】
【００３７】
１０  インターフェースコントローラ
１１  表示部
１２  文字多重放送受信カード
１２ａ  音声出力端子
１３  イヤホーン
２０  ＳＤＩＯコントローラ
２１  文字多重放送受信モジュール
２２  低周波増幅回路
２３  メモリデバイス
３１  ＳＤプロトコルエンジン
３２  一時記憶メモリ（Ｒ／Ｗ ＦＩＦＯ）
３３ａ、３３ｂ、３３ｃ  アプリケーションインターフェース
３４  制御レジスタ（ＳＤＩＯＲＥＧ）
３５  ＦＩＦＯコントローラ（ＤＭＡ）
３６  マイクロコントローラユニット（ＭＣＵ）
３７ａ  Ｉ−ＲＡＭ
３７ｂ  Ｄ−ＲＡＭ
３８  ＧＰＩＯ
【図１】
2005117181.tif 000003
【図２】
2005117181.tif 000004
【図３】
2005117181.tif 000005